【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
処理テープに入力した文字情報に基づく墨字データにより墨字を印刷するための印刷手段を有する印刷処理部と、印刷処理された前記処理テープが手差しで挿入されると共に、挿入された前記処理テープに前記文字情報に基づく点字データにより点字を打刻するための打刻手段を有する打刻処理部と、を備え、
前記印刷手段は、前記処理テープに、打刻処理される前記点字の上下と合致する前記処理テープの幅方向の上下、を識別するための上下識別情報を印刷することを特徴とするテープ処理装置。
【請求項２】
前記打刻処理部は、
挿入された前記処理テープの前記上下識別情報を検出する情報検出手段と、
前記情報検出手段の検出結果に基づき、前記処理テープの上下を判別する上下判別手段と、
前記上下判別手段により前記処理テープが上下反転して挿入されたことが判別された場合、前記打刻手段を制御し、前記点字データを１８０°回転させた状態で打刻させる打刻制御手段と、をさらに有していることを特徴とする請求項１に記載のテープ処理装置。
【請求項３】
前記処理テープは、裏面に粘着剤を塗着した記録テープと前記粘着剤を介して前記記録テープの裏面に貼着した剥離テープとから成り、
前記印刷処理部は、前記処理テープをフルカットするフルカット手段、および前記処理テープにおける前記記録テープのみを前記点字の打刻位置の外側でカットするハーフカット手段を、更に有し、
前記印刷手段は、前記ハーフカット手段により形成される前記記録テープの捨て代部に前記上下識別情報を印刷することを特徴とする請求項１または２に記載のテープ処理装置。
【請求項４】
前記ハーフカット手段は、前記処理テープの手差し方向先端側に前記捨て代部を形成することを特徴とする請求項３に記載のテープ処理装置。
【請求項５】
処理テープに、入力された文字情報に基づいて墨字印刷および点字打刻を行うテープ処理装置のテープ処理方法において、
前記処理テープに、前記点字打刻を行う前に、前記文字情報に基づいて墨字印刷を行うと共に、打刻される点字の上下と合致する前記処理テープの幅方向の上下、を識別するための上下識別情報を印刷することを特徴とするテープ処理装置のテープ処理方法。
【請求項６】
打刻される点字の上下と合致する前記処理テープの幅方向の上下、を識別するための上下識別情報が印刷されていると共に手差しで挿入された処理テープに、点字データに基づく点字打刻を行うテープ処理装置のテープ処理方法において、
前記上下識別情報に基づいて、前記処理テープの上下を検出し、
前記処理テープが上下反転して挿入された場合、前記点字データを１８０°回転させた状態で打刻することを特徴とするテープ処理装置のテープ処理方法。
【請求項７】
コンピュータを、請求項１ないし４のいずれかに記載のテープ処理装置における各手段として機能させるためのプログラム。
【手続補正２】
【補正対象書類名】明細書
【補正対象項目名】０００３
【補正方法】変更
【補正の内容】
【０００３】
このような従来のシート処理装置では、打刻手段が打刻動作すると、それに伴う打刻振動により処理テープがサーマルヘッドから離れ、墨字印刷の印刷品質が悪化する問題がある。
一方、この弊害を除去するため、印刷手段と打刻手段とを別体にあるいは離して設け、たとえば印刷手段によって処理テープに墨字を印刷した後に、処理テープを打刻手段に手差しし、点字を打刻する構成をとることが考えられる（２パス方式）。
しかし、上記のような印刷工程と打刻工程とを２パスで行う構成をとると、墨字と点字を上下逆に、すなわち処理テープの上側半部に点字を下側半部に墨字を印刷打刻しようとした場合、墨字印刷後の処理シートを上下反転させて手差しし、かつ点字を読み方向の逆側から打刻する必要がある。逆側からの打刻はデータ処理により簡単に行えるが、処理テープを打刻手段に手差しする方向（上下）をユーザが間違えるという問題が新たに生ずる。ユーザは、印刷工程で排出された処理テープの排出方向と同方向で処理テープを打刻手段に導入しがちである。
例えば、図１６（ａ）に示すように、墨字印刷の内容が上下判別不可能なものである場合（例えば、矢印のマークや数字のゼロなど）、墨字印刷後の処理テープを打刻手段に挿入する際、ユーザが処理テープの幅方向における上下を間違えてしまうことがある。また、図１６（ｂ）に示すように、処理テープに墨字印刷を行わず点字打刻のみを行った場合、晴眼者は作成されたラベルの上下を判別することが困難であるため、上下を誤った状態でラベルを貼付してしまうといった問題がある。
【手続補正３】
【補正対象書類名】明細書
【補正対象項目名】０００５
【補正方法】変更
【補正の内容】
【０００５】
本発明のテープ処理装置は、処理テープに入力した文字情報に基づく墨字データにより墨字を印刷するための印刷手段を有する印刷処理部と、印刷処理された処理テープが手差しで挿入されると共に、挿入された処理テープに文字情報に基づく点字データにより点字を打刻するための打刻手段を有する打刻処理部と、を備え、印刷手段は、処理テープに、打刻処理される点字の上下と合致する処理テープの幅方向の上下、を識別するための上下識別情報を印刷することを特徴とする。
【手続補正４】
【補正対象書類名】明細書
【補正対象項目名】０００９
【補正方法】変更
【補正の内容】
【０００９】
これらの場合、処理テープは、裏面に粘着剤を塗着した記録テープと粘着剤を介して記録テープの裏面に貼着した剥離テープとから成り、印刷処理部は、処理テープをフルカットするフルカット手段、および処理テープにおける記録テープのみを点字の打刻位置の外側でカットするハーフカット手段を、更に有し、印刷手段は、ハーフカット手段により形成される記録テープの捨て代部に上下識別情報を印刷することが、好ましい。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
本発明のテープ処理装置のテープ処理方法は、処理テープに、入力された文字情報に基づいて墨字印刷および点字打刻を行うテープ処理装置のテープ処理方法において、処理テープに、点字打刻を行う前に、文字情報に基づいて墨字印刷を行うと共に、打刻される点字の上下と合致する処理テープの幅方向の上下、を識別するための上下識別情報を印刷することを特徴とする。
【手続補正１２】
【補正対象書類名】明細書
【補正対象項目名】００２０
【補正方法】変更
【補正の内容】
【００２０】
本発明の他のテープ処理装置のテープ処理方法は、打刻される点字の上下と合致する処理テープの幅方向の上下、を識別するための上下識別情報が印刷されていると共に手差しで挿入された処理テープに、点字データに基づく点字打刻を行うテープ処理装置のテープ処理方法において、上下識別情報に基づいて、処理テープの上下を検出し、処理テープが上下反転して挿入された場合、点字データを１８０°回転させた状態で打刻することを特徴とする。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２６
【補正方法】変更
【補正の内容】
【００２６】
以下、添付の図面を参照して、本発明に係るテープ処理装置およびテープ処理方法およびテープ処理を実行するプログラムを搭載したラベル作成装置について説明する。
【手続補正１６】
【補正対象書類名】明細書
【補正対象項目名】００２８
【補正方法】変更
【補正の内容】
【００２８】
図１は、ラベル作成装置１の閉蓋状態の外観斜視図であり、図２は、ラベル作成装置１の開蓋状態を示す外観斜視図である。図１および図２に示すようにラベル作成装置１は、前端部にキャリアハンドル５を有する前部ケース６ａと後部ケース６ｂとから成る装置ケース６により外郭が形成されている。前部ケース６ａには、印刷処理部２の主装置が内蔵され、これに装着したテープカートリッジ１３から繰り出される処理テープＴに対して墨字印刷を行う。また、後部ケース６ｂには、打刻処理部３の主装置が内蔵され、印刷処理部２から排出された処理テープＴが手差し挿入されることにより点字打刻を行う。
【手続補正１７】
【補正対象書類名】明細書
【補正対象項目名】００３３
【補正方法】変更
【補正の内容】
【００３３】
同様に、ハーフカッタ２３は、フルカッタ２２と概ね同形状に構成され、スライドカット可能な斜刃のカッタ刃を有し、クランク機構を介して処理テープＴの幅方向にスライド動作可能に構成されている。カッタ刃がスライド動作すると、これに臨む処理テープＴの記録テープ４２のみを切断、すなわち処理テープＴをハーフカットするようになっている。この場合、カッタ刃の突出量は、フルカッタ２２の場合と異なり、記録テープ４２のみをカットする突出量となるように調整されている。そして、このハーフカットにより、処理テープＴの手差し方向先端側に捨て代部Ｔａが形成される（詳細は後述する）。
【手続補正１８】
【補正対象書類名】明細書
【補正対象項目名】００３５
【補正方法】変更
【補正の内容】
【００３５】
モード選択キーによって選択される処理モードとしては、入力された文字情報に基づいて墨字印刷および点字打刻を行う第１処理モード（図８（ａ）参照）、入力された文字情報に基づいて墨字印刷のみを行う第２処理モード（図８（ｂ）参照）、入力された文字情報に基づいて点字打刻のみを行う第３処理モード（図８（ｃ）参照）があり、これらの中からいずれか１つの処理モードが選択される。なお、以下では主に第１処理モードに設定されている場合について説明する。
【手続補正１９】
【補正対象書類名】明細書
【補正対象項目名】００４８
【補正方法】変更
【補正の内容】
【００４８】
ここで、図４を参照し、処理テープＴ上に形成される点字６５（６点点字）について説明する。図４（ａ）は、点字６点のうち４点を打刻して、文字情報「し」の点字６５を表すと共に、隣接する点字６５との位置関係を表している。６点点字６５は、縦３個×横２個の６個の点で１マスが構成され、１マスで、１文字の他濁点等の属性が表現される。すなわち、６点点字６５は、１マスが縦３個×横２個の配置パターンで６個の打刻ポイントに分割されており、図４の「し」では、６個の打刻ポイントのうち４個の打刻ポイントが選択的に打刻されて、処理テープＴ上に４個の打刻凸部６５ａが形成されている。また、６個の打刻凸部６５ａは、縦方向のピッチが略２．４ｍｍ、横方向のピッチが略２．１ｍｍ、隣接マスの点までの（マス間）ピッチは略３．３ｍｍとなっている。
【手続補正２０】
【補正対象書類名】明細書
【補正対象項目名】００４９
【補正方法】変更
【補正の内容】
【００４９】
なお、点字６５には、仮名文字や数字等を表す６点点字６５の他、縦４個×横２個の８個のビットパターンの点で漢字を表す８点点字も使用されている。本実施形態のラベル作成装置１は、６点点字６５を打刻するものであるが、もちろん８点点字を打刻可能な構成であってもよい。
【手続補正２１】
【補正対象書類名】明細書
【補正対象項目名】００５０
【補正方法】変更
【補正の内容】
【００５０】
図４（ｂ）は、打刻凸部６５ａの断面形状である。図４に示すように、打刻凸部６５ａの形状は、半球形である。なお、打刻凸部６５ａの形状は、角の丸まった円筒形のものであれば良い（触感が良く好ましい）とされているが、他の形状、例えば円錐形、四角錐形等であってもよい。
なお、打刻ユニット５３として、小形の小打刻凸部６５ａを形成するユニットと大形の大打刻凸部６５ａを形成するユニットとの２種類を、相互に交換可能に用意しておくようにしてもよい。小打刻凸部６５ａは、円筒の直径が略１．４ｍｍ、高さが略０．４ｍｍであり、大打刻凸部６５ａは、円筒の直径が略１．８ｍｍ、高さが略０．５ｍｍである。大小２種類の打刻凸部６５ａは、その用途によって使い分けられるものであり、例えば、小打刻凸部６５ａが点字Ｂの読み取りに慣れた者（先天盲者）向けであって、大打刻凸部６５ａが初心者（中途失明者）向けである。
【手続補正２２】
【補正対象書類名】明細書
【補正対象項目名】００５７
【補正方法】変更
【補正の内容】
【００５７】
検出部７１Ｂは、処理テープＴ（テープカートリッジ１３）の種別を検出する上記のテープ識別センサ４４と、打刻処理部３において処理テープＴの先端を検出する上記の先端検出センサ６８と、同じく打刻処理部３において処理テープＴに印刷された上下識別情報Ｄを検出する上下識別センサ６９とを有すると共に、印刷送りモータ３２の回転速度を検出する印刷部回転速度センサ７２と、打刻送りモータ５７の回転速度を検出する打刻部回転速度センサ７３とを有し、各種検出を行う。駆動部７４は、ディスプレイドライバ７６、ヘッドドライバ７７、印刷送りモータドライバ７８、およびカッタモータドライバ８１に加え、打刻処理部３内のソレノイド６３および打刻ピン５２を駆動する打刻ドライバ８２、打刻処理部３内の打刻送りモータ５７を駆動する打刻送りモータドライバ８３をさらに有し、上記各種のアクチュエータを駆動する。
【手続補正２３】
【補正対象書類名】明細書
【補正対象項目名】００６３
【補正方法】変更
【補正の内容】
【００６３】
例えば、ＣＰＵ８４は、ユーザによりキーボード８を介して文字情報が入力されると、手差し表示画像と共に入力した文字情報に基づいて墨字印刷データを生成し、墨字印刷データブロック８６ｂに一時的に記憶する。また、キーボード８を介し印刷／打刻指示および点字打刻文字列の指定を取得すると、点字打刻データを生成し、点字打刻データブロック８６ｃに一時的に記憶すると共に、印刷送りモータ３２の駆動を開始すると共に印刷ヘッド２６を駆動することにより、墨字印刷データブロック８６ｂ内の墨字データに基づいて墨字印刷を行う。またこのとき、墨字データと共に、上下識別情報Ｄの印刷（予め制御データブロック８５ｂ内に記憶されているデータに基づく）も行う。その後、墨字印刷データ（文字情報入力時に後余白長の長さを設定可能である場合はその後余白データも含む）に基づく所定長さのテープ送りを行いつつ、ハーフカッタ２３によりハーフカットを行うと共に、フルカッタ２２により処理テープＴ後端部を切断し、印刷テープ排出口２１から印刷済処理テープＴを排出する。
【手続補正２４】
【補正対象書類名】明細書
【補正対象項目名】００６５
【補正方法】変更
【補正の内容】
【００６５】
次に、本実施形態のラベル作成装置１を用いた印刷・打刻処理（ラベル作成方法）における２つの実施形態について説明する。第１実施形態は、処理テープＴに上下を識別するため上下識別情報Ｄを印刷し、この上下識別情報Ｄを検出して点字打刻を制御するものであり、第２実施形態は、予め点字打刻の打刻方向を考慮し、処理テープＴに手差しの方向を指標する手差し表示情報Ｅを印刷するものである。なお、詳細は後述するが、第２実施形態では上記の上下識別センサ６９を必ずしも必要としない。
【手続補正２５】
【補正対象書類名】明細書
【補正対象項目名】００７５
【補正方法】変更
【補正の内容】
【００７５】
なお、上記のとおり点字データとは、入力された文字情報（ここでは、「あいう」）に基づいて点字Ｂを打刻するために生成されたデータ部分と、前余白データおよび後余白データとから成るものである。したがって、「点字データの先端側から点字打刻を行う（点字データを正方向で打刻する）」とは、前余白データ、最初の文字（ここでは、「あ」）の左列縦３個の打刻ポイント（図４（ａ）参照）に相当するデータ、最初の文字（ここでは、「あ」）の右列縦３個の打刻ポイントに相当するデータ、二番目の文字（ここでは、「い」）の左列縦３個の打刻ポイントに相当するデータ、・・・の順に打刻を行い、最後に後余白データの打刻（空打刻）を行うことを指すものである。
【手続補正２６】
【補正対象書類名】明細書
【補正対象項目名】００７６
【補正方法】変更
【補正の内容】
【００７６】
また、図１０（ｂ）に示すとおり、下ガイド部材６６に沿って、左下先端部（図示右上後端部）に上下識別情報Ｄが付された処理テープＴ（Ｔ３）が上下反転した状態で挿入された場合は、先端検出センサ６８によりテープ先端を検出した後、所定長さのテープ送りの間に上下識別センサ６９により上下識別情報Ｄを検出し得ないため、これによって処理テープＴの上下が逆さまであると判断し、反転点字データブロック８６ｃ（図６参照）内の反転点字データＢ′を読み出して点字打刻を行う（点字データの終端側から打刻する）。なお、「点字データの終端側から打刻する（点字データを１８０°回転させた状態で打刻する）」とは、後余白データ、最後の文字（ここでは、「う」）の右列縦３個の打刻ポイント（図３（ａ）参照）に相当するデータを１８０°回転させたデータ、最後の文字（ここでは、「う」）の左列縦３個の打刻ポイントに相当するデータを１８０°回転させたデータ、最後から二番目の文字（ここでは、「い」）の右列縦３個の打刻ポイント２０１に相当するデータを１８０°回転させたデータ、・・・の順に打刻を行い、最後に前余白データの打刻（空打刻）を行うことを指すものである。
【手続補正２７】
【補正対象書類名】明細書
【補正対象項目名】００７９
【補正方法】変更
【補正の内容】
【００７９】
ここで、図１１を参照し、印刷処理部２によって印刷される上下識別情報Ｄの変形例について説明する。すなわち、上下識別情報Ｄは、図１１（ａ）に示すような左下先端部の点「・」に限らず、他の形態であっても良い。
【手続補正２８】
【補正対象書類名】明細書
【補正対象項目名】００８０
【補正方法】変更
【補正の内容】
【００８０】
例えば、図１１（ｂ）は、左下先端部に１つの点「・」、また右上後端部に近接して並んだ２つの点「・・」を印刷したものである。このように、処理テープＴの左下先端部と右上後端部に異なるマークを印刷することによって、テープ先端検出後、いずれのマークを検出したかによって処理テープＴの幅方向における上下を判別することができる。すなわち、テープ先端検出後、検出誤差を考慮した所定長さのテープ送りを待たずともより迅速に処理テープＴの上下を判別することができる。
【手続補正２９】
【補正対象書類名】明細書
【補正対象項目名】００８１
【補正方法】変更
【補正の内容】
【００８１】
また、図１１（ｃ）に示すように、処理テープＴの送り方向における先端部寄りまたは後端部寄りの記録テープのみを幅方向にハーフカットし、このハーフカットにより構成された捨て代部Ｔａに上下識別情報Ｄ（この場合、「上」、「下」の文字情報）を印刷する（実際には、印刷を行ってからハーフカットする）ようにしても良い。この構成によれば、上下識別情報Ｄを、一般に剥離テープの剥離を容易にするために設けられる捨て代部Ｔａに印刷するため、墨字印刷が行われる記録領域Ｔｂを損ねることがない。また、上下識別情報Ｄとして文字情報を印刷することにより、テープＴの上下をより分かり易く指標することができる。
なお、上記のハーフカットや上下識別情報Ｄを印刷した短冊状の処理テープＴを用意しておき（印刷処理部２で処理したものではない）、これを打刻処理部３に挿入して打刻処理するようにしてもよい。
【手続補正３０】
【補正対象書類名】明細書
【補正対象項目名】００８２
【補正方法】変更
【補正の内容】
【００８２】
また、図１１（ａ）〜（ｃ）の例に示すように、印刷処理部２によって、上下識別情報Ｄを印刷等するのではなく、図１１（ｄ）に示すように、予めテープＴの表面の上端部または下端部に、送り方向と平行なラインが付され、このラインによって上下が識別可能な処理テープＴを用いても良い。この構成によれば、印刷処理部２による上下識別情報Ｄの印刷処理を省略することができる。なお、図示の処理テープＴのようにラインを付すのではなく、予め特定のマークを等間隔で付しておくようにしても良い。
【手続補正３１】
【補正対象書類名】明細書
【補正対象項目名】００８３
【補正方法】変更
【補正の内容】
【００８３】
また、図１１（ｅ）に示すように、予め処理テープＴの裏面（剥離紙）に、処理テープＴの上下を識別するためのメッセージを記載した処理テープＴを用いても良い。この構成によれば、具体的且つ分かり易く処理テープＴの上下を指標することができると共に、表面を損ねることがない。
【手続補正３２】
【補正対象書類名】明細書
【補正対象項目名】００８４
【補正方法】変更
【補正の内容】
【００８４】
また、図１１（ｆ）に示すように、上下識別情報Ｄとして、上下を指標する代わりにテープ挿入方向を指標するマークを印刷するようにしても良い。すなわち、図示の例の場合、左向き矢印のマークによってテープ挿入方向を示しているが、本実施形態のラベル作成装置１では、装置の右側部から処理テープＴを挿入する構成となっているため（図１参照）、処理テープＴの表面を表側にし、矢印の方向にしたがって挿入することで、処理テープＴの上下を間違いなく挿入することができる。なお、矢印マークに限らず、テープ先端に点「・」を印刷することでテープ挿入方向を指標するようにしても良い。また、この場合、テープ幅方向におけるマークの位置に合わせて、上下識別センサ６９が配設されることが好ましい。
【手続補正３３】
【補正対象書類名】明細書
【補正対象項目名】００８５
【補正方法】変更
【補正の内容】
【００８５】
なお、上下識別情報Ｄは、図１１（ａ）〜（ｆ）の例に示したもののいずれかに限定するのではなく、複数の選択肢をメモリ（ＲＯＭ８５等）内に記憶させておき、それらの中からユーザが好みの上下識別情報Ｄを選択可能に構成しても良い。また、ユーザがキーボード８を用いて、上下識別情報Ｄの形態、配置および個数を設定可能としても良い。但し、上下識別情報Ｄのテープ幅方向における配置を設定可能とする場合は、上下識別センサ６９の個数を複数設けたり、上下識別センサ６９をテープ幅方向に移動可能に構成する必要がある。
【手続補正３４】
【補正対象書類名】明細書
【補正対象項目名】００９６
【補正方法】変更
【補正の内容】
【００９６】
次に、レイアウト選択（Ｓ５２）と、それに伴う処理モードの決定について、図１４を参照しながら説明する。このレイアウト選択では、処理テープＴの上側半部を墨字印刷エリア９３とし下側半部を点字打刻エリア９４とする下側点字レイアウトと（図１４（ａ）参照）、処理テープＴの下側半部を墨字印刷エリア９３とし上側半部を点字打刻エリア９４とする上側点字レイアウトと（図１４（ｂ）参照）、のいずれかをユーザが選択できるようになっている。このレイアウト選択により、その後の墨字印刷および点字打刻の制御が異なってくるため、「墨字・点字併記」処理には、下側点字レイアウト用の下側点字処理モードと、上側点字レイアウト用の上側点字処理モードの両処理モードが用意されている。
【手続補正３５】
【補正対象書類名】明細書
【補正対象項目名】００９９
【補正方法】変更
【補正の内容】
【００９９】
上記両処理モード（Ｓ５２：（ａ）（ｂ））で処理される処理テープＴは、フルカットおよびハーフカットされると（Ｓ５４、Ｓ６２）、図１４に示すように、短冊状に形成される。この場合、下側点字処理モードでは、処理テープＴ送り方向の先端側にハーフカットが行われ、上側点字処理モードでは、テープ送り方向の基端側にハーフカットが行われる。図１４（ａ）は、下側点字処理モードでフルカット・ハーフカット後の処理テープＴ（Ｓ５４）を示したものであり、図１４（ｂ）は、上側点字処理モードでフルカットおよびハーフカット後の処理テープＴ（Ｓ６２）を示している。
【手続補正３６】
【補正対象書類名】明細書
【補正対象項目名】０１００
【補正方法】変更
【補正の内容】
【０１００】
図１４（ａ）に示した処理テープＴには、その手差し方向先端側となる紙面左側に、後述のハーフカットによる捨て代部Ｔａが形成され、かつこれに上記の手差し表示情報Ｅが印刷され、これに続く紙面右側には墨字印刷エリア９３が形成されかつこれに入力情報に基づく墨字８９（キャラクタ）が印刷される。この墨字印刷エリア９３の下側は点字打刻エリア９４が形成されている。また、手差し表示情報Ｅと両エリアとの境界部分には、ハーフカッタ２３により記録テープ４２のみカットするハーフカットライン９５が形成されている。このハーフカットライン９５により、墨字８９が印刷される後に点字６５が併記されるラベル部９６と、手差し表示情報Ｅが印刷された捨て代部Ｔａとが分離されている。
【手続補正３７】
【補正対象書類名】明細書
【補正対象項目名】０１０２
【補正方法】変更
【補正の内容】
【０１０２】
上下指標情報Ｅｂは、処理テープＴの幅方向外側にそれぞれ配置した「上」「下」の墨字で構成されている（図１４参照）。これら「上」「下」の墨字は、下側点字処理モードおよび上側点字処理モードのいずれの場合も、ユーザが入力した文字情報の墨字８９および点字６５と、同向きに印刷処理される。
点字イメージ情報Ｅｃは、６点点字を模して表した画像であり、本実施形態では、墨字「さ」に対応する点字を模した画像を印刷するようにしている。
【手続補正３８】
【補正対象書類名】明細書
【補正対象項目名】０１０４
【補正方法】変更
【補正の内容】
【０１０４】
また、図１４図（ｂ）に示した処理テープＴは、紙面右側に捨て代部Ｔａが形成されかつこれに手差し表示情報Ｅが印刷され、これに先行する紙面左側には墨字印刷エリア９３が形成されかつこれに墨字８９が印刷される。この墨字印刷エリア９３の上側には点字打刻エリア９４が形成されている。また、手差し表示情報Ｅと両エリアとの境界部分には、ハーフカットライン９５が形成され、ラベル部９６と捨て代部Ｔａとが分離されている。そして、指標情報Ｅａは、前後逆向き（紙面右向き）が印刷されている。
【手続補正３９】
【補正対象書類名】明細書
【補正対象項目名】０１０９
【補正方法】変更
【補正の内容】
【０１０９】
なお、本実施形態のラベル作成装置では、ハーフカッタを設けているがこれを設けない構成にしてもよい。かかる場合には、矢印Ｅａａ或いはこれに相当する情報（可能な限り目立たないもの）をラベル部に印刷することになる。また、本実施形態において、捨て代部Ｔａは、手差し方向先端側に形成されているが、手差し方向基端側に形成してもよい。
【手続補正４０】
【補正対象書類名】明細書
【補正対象項目名】０１１０
【補正方法】変更
【補正の内容】
【０１１０】
また、本実施形態では、点字のみ２段に打刻したラベルも作成することができる。すなわち、点字の打刻後、上下反転して更に打刻処理部に手差しすることにより、点字のみ２段に打刻したラベルを作成できる。この場合、先に打刻された点字が従動ローラの奥側３カ所の環状溝を通るため、処理テープを送る際にも点字がつぶれてしまうことがない。
【手続補正４１】
【補正対象書類名】図面
【補正対象項目名】図６
【補正方法】変更
【補正の内容】
【図６】
2006051797.tif 000001